(57)【要約】      （修正有）【課題】飛行機内における機長などによる挨拶や情報の内容を音声のみばかりでなく、その音声と同時にその内容を機内に備えたテレビモニタにより文字で表示する。【解決手段】飛行機の機長やスチュワーデス等の乗務員の音声を入力する音声入力装置１と、前記音声入力装置１からの音声を文字に変換する変換装置２と、前記変換装置２にて変換した文字を表示する表示装置３とを備え、音声入力装置１に入力された音声が音声出力装置４から発せられると同時に、その音声内容が表示装置３に文字表示される。【選択図】図１
0003119135.tif 000002
【実用新案登録請求の範囲】
【請求項１】
飛行機の機長やスチュワーデス等の乗務員の音声を入力する音声入力装置と、
前記音声入力装置からの音声を文字に変換する変換装置と、
前記変換装置にて変換した文字を表示する表示装置と、
を備えたことを特徴とする飛行機内の旅客用情報表示装置。
【請求項２】
飛行機の機長やスチュワーデス等の乗務員の音声を入力する音声入力装置と、
前記音声入力装置からの音声を文字に変換する変換装置と、
手話を撮影する撮影装置と、
前記変換装置からの出力信号と前記撮影装置からの出力信号を合成する画像合成装置と、
前記画像合成装置で合成した画像を表示する表示装置と、
を備えたことを特徴とする飛行機内の旅客用情報表示装置。
【請求項３】
前記音声入力装置は、飛行機内に装備したマイクロフォンであることを特徴とする請求項１または２記載の飛行機内の旅客情報表示装置。
【請求項４】
前記音声入力装置には、音声出力装置を装備することにより構成したことを特徴とする請求項１または２記載の飛行機内の旅客用情報表示装置。
【考案の詳細な説明】
【技術分野】
【０００１】
本考案は、飛行機内で行われる音声の放送と同時に、飛行機内に配備したテレビモニタによりその音声の内容を文字で表示する飛行機内の旅客用情報表示装置に関する。
【背景技術】
【０００２】
飛行機内にはテレビモニタが配備されており、旅客が飛行中に楽しく過ごせるように映画やニュース等のビデオ放送が行われている（例えば、特許文献１）。また、機外風景を映し出して旅客に娯楽を与えたり、予め緊急時における救命胴衣や酸素マスク等の使用の仕方をビデオ放送により機内の旅客に提供している。
【０００３】
このテレビモニタは、図３に示すようにプロジェクタタイプモニタ２０のものや、図４に示すように機内の天井２５に配置した液晶モニタ２６等が用いられている。
【０００４】
一方、機長やスチュワーデス等の乗務員による挨拶や天候、飛行時間・高度などの実況される情報はスピーカーを通じて音声で行われている。
【０００５】
【特許文献１】特開平１０−２９５９７号公報
【考案の開示】
【考案が解決しようとする課題】
【０００６】
しかるに、前記機長やスチュワーデス等の乗務員による挨拶や天候、飛行時間・高度などの実況される情報はスピーカーを通じて音声で行われているが、その音声の内容は文字に変換されてテレビモニタに表示されることはない。
【０００７】
そのため、聴力に障害を有する人や、健聴な人にとっても音声による放送中に周囲が騒がしくて聞き取りにくい場合には、その内容を良く理解することができず機長やスチュワーデス等の乗務員の放送内容を乗客に徹底できない場合があり、乗客からの不満もあった。
【０００８】
本考案は、前記事情に鑑みてなされたもので、飛行機内における機長などによる挨拶や情報の内容を音声のみばかりでなく、その音声と同時にその内容を機内に備えたテレビモニタにより文字で表示することにより、旅客が内容を容易に理解することができる飛行機内の旅客用情報表示装置を提供することを目的とする。
【課題を解決するための手段】
【０００９】
前記目的を達成するために、本考案の請求項１の飛行機内の旅客用情報表示装置は、飛行機の機長やスチュワーデス等の乗務員の音声を入力する音声入力装置と、前記音声入力装置からの音声を文字に変換する変換装置と、前記変換装置にて変換した文字を表示する表示装置と、を備えたことを特徴とする。
【００１０】
本考案の請求項２の飛行機内の旅客用情報表示装置は、飛行機の機長やスチュワーデス等の乗務員の音声を入力する音声入力装置と、前記音声入力装置からの音声を文字に変換する変換装置と、手話を撮影する撮影装置と、前記変換装置からの出力信号と前記撮影装置からの出力信号を合成する画像合成装置と、前記画像合成装置で合成した画像を表示する表示装置と、を備えたことを特徴とする。
【００１１】
本考案の請求項３は、請求項１，２の構成にあって、前記音声入力装置は、飛行機内に装備したマイクロフォンであることを特徴とする。
【００１２】
本考案の請求項４は、請求項１，２の構成にあって、前記音声入力装置には、音声出力装置を装備することにより構成したことを特徴とする。
【考案の効果】
【００１３】
請求項１，４の考案によれば、機長やスチュワーデス等の乗務員による挨拶や天候、飛行時間・高度などの情報について、その音声がスピーカを通じて放送されるとともに、その音声の内容は文字に変換されてテレビモニタに表示されるので、旅客はその内容を容易に理解することができる。そのため、例えば、聴力に障害を有する人や、健聴な人にとっても音声による放送中に周囲が騒がしくて聞き取りにくく聞き逃した場合にあっても、表示装置に表示される文字を見てその内容を認識し良く理解することができる。
【００１４】
請求項２の考案によれば、機長やスチュワーデス等の乗務員による挨拶や天候、飛行時間・高度などの情報について、その音声がスピーカを通じて放送されるとともに、その音声の内容は文字とともに手話映像により表示されるので、旅客はその内容を容易に理解することができる。そのため、聴力に障害を有する人にあっても、表示装置に表示される文字と手話を見てその内容を認識し良く理解することができる。
【００１５】
請求項３の考案によれば、機内の既存の設備を用いることで、容易かつ安価に実施することができる。
【考案を実施するための最良の形態】
【００１６】
以下、本考案の実施例について図面とともに説明する。
【実施例１】
【００１７】
本考案の実施例１を図１に基づいて説明する。図１は実施例１の飛行機内の旅客用情報表示装置を示すブロック図である。
【００１８】
本実施例の飛行機内の旅客用情報表示装置は、図１に示すように、音声を入力する音声入力装置１と、音声入力装置１に入力された音声を文字に変換する変換装置２と、変換装置２で変換された文字を表示する表示装置３とから構成され、音声入力装置１に入力した音声を音声として出力する音声出力装置４が設けられている。
【００１９】
音声入力装置１は、音声を入力すると音声信号５として出力する。この音声入力装置１は、機長やスチュワーデス等の乗務員が機内で通常に使用するマイクロフォンを用いることができる。
【００２０】
変換装置２は、音声認識回路６と音声比較回路７と文字認識回路８を有しており、音声入力装置１からの音声信号５は音声認識回路６に入力される。音声認識回路６は音声信号５のノイズを除去し、二値化して整形信号９として音声比較回路７に出力する。音声比較回路７は整形信号９と基準波形出力装置１０から出力されている文字の基準信号１１とを比較し、一致した波形信号を文字信号１２として文字認識回路８に出力する。文字認識回路８は、入力された文字信号１２を漢字変換して漢字かな交じり文に変換し、漢字かな文字信号１３を表示装置３に出力する。
【００２１】
表示装置３は、変換装置３から出力された漢字かな文字信号１３を文字として表示する。この表示装置３は、客席の前方に設置される大型のプロジェクタタイプのテレビモニタあるは機体の天井や客席の背面に設置される小型の液晶モニタ等の、機体に設置されているテレビモニタが用いられている。
【００２２】
音声出力装置４はスピーカーが用いられており、このスピーカーは専用に備えても良いし、すでに機内に設置してあるもの、例えば機体に装備してあるスピーカーやテレビモニタのスピーカーを用いることができる。この音声入力装置１には、音声入力装置１から出力された音声信号５が分流されて入力される。
【実施例２】
【００２３】
本考案の実施例２を図２に基づいて説明する。図２は実施例２の飛行機内の旅客用情報表示装置を示すブロック図である。
【００２４】
本実施例の飛行機内の旅客用情報表示装置は、図２に示すように、音声を入力する音声入力装置１と、この音声入力装置１に入力された音声を文字に変換する変換装置２と、手話を撮影する撮影装置１５と、前記変換装置２からの漢字かな文字信号１３と前記撮影装置１５からの画像を合成する画像合成装置１６と、前記画像合成装置１６で合成した画像を表示する表示装置３とから構成され、音声入力装置１に入力した音声を音声として出力する音声出力装置４が設けられている。
【００２５】
前記撮影装置１５は前記画像合成装置１６に接続されており、機長やスチュワーデス等の乗務員が話す内容を手話で表現する動作を撮影し、その画像を前記画像合成装置１６に出力する。なお、手話をする人はスチュワーデス等の乗務員が行っても良く、また乗客に手話の心得を有する人に依頼して行ってもらっても良い。
【００２６】
前記画像合成装置１６は、前記表示装置３に接続されるとともに、前記変換装置３にも接続されている。この画像合成装置１６には合成部１７が設けられており、前記撮影装置１５からの画像と前記変換装置３からのデータが合成部１７で合成され、その合成された手話と文字の画像が前記表示装置３に表示される。
【００２７】
なお、音声入力装置１と変換する変換装置２と表示装置３および音声出力装置４は、実施例１の構成と同様であるので、その説明は省略する。
【図面の簡単な説明】
【００２８】
【図１】本発明の実施例１を示すブロック図である。
【図２】本発明の実施例２を示すブロック図である。
【図３】従来技術の説明に用いた説明図である。
【図４】従来技術の説明に用いた説明図である。
【符号の説明】
【００２９】
１    音声入力装置
２    変換装置
３    表示装置
４    音声出力装置
５    音声信号
６    音声認識回路
７    音声比較回路
８    文字認識回路
９    整形信号
１０  基準波形出力装置
１１  基準信号
１２  文字信号
１３  漢字かな交じり信号
１５  撮影装置
１６  画像合成装置
１７  合成部
２０  プロジェクションタイプモニタ
２５  天井
２６  液晶モニタ
【図１】
0003119135.tif 000003
【図２】
0003119135.tif 000004
【図３】
0003119135.tif 000005
【図４】
0003119135.tif 000006